(57)【要約】  【課題】  キャップ付き容器を保持する場合に、当該キャップを容器から取り外した状態で保管できるように構成した。  【解決手段】  容器８を保持するホルダープレート３に、容器８から外したキャップ７を保持するためのキャップ収容部６を形成した。【選択図】  図１
2005029047.tif 000002
【特許請求の範囲】
【請求項１】
キャップ付きペットボトル等の容器を保持する容器保持部が設けられたホルダープレートに、ペットボトル等の容器から取外したキャップを収容するキャップ収容部を形成して構成したことを特徴とする車両におけるペットボトル等容器のキャップ収容装置。
【請求項２】
前記キャップ収容部は、前記ホルダープレートの表面側を凹設して形成した有底凹部の底部を底上げして前記キャップの一部が突出した状態で収容されるように構成したことを特徴とする請求項１記載の車両におけるペットボトル等容器のキャップ収容装置。
【請求項３】
前記キャップ収容部は、前記キャップの天蓋部を上方または下方に向けた起立状態で前記キャップを収容するように形成したことを特徴とする請求項２記載の車両におけるペットボトル等容器のキャップ収容装置。
【請求項４】
前記キャップ収容部は、前記ホルダープレートの表面側を凹設して構成し、前記キャップの筒部側を上下方向に向けた横臥状態で収容したことを特徴とする請求項１に記載の車両におけるペットボトル等容器のキャップ収容装置。
【発明の詳細な説明】
【技術分野】
【０００１】
本発明は、コンソールボックス、インストルメントパネル或いはドアトリム等の構成部品に設けられて、ペットボトル等の容器のキャップを収容するように構成した車両におけるペットボトル等容器のキャップ収容装置に関する。
【背景技術】
【０００２】
従来ペットボトル等のキャップ付き容器は、コンソールボックス、インストルメントパネル或いはドアトリム等の取り付け部位に設けたカップホルダに収容するようにしており、この種の自動車用カップホルダとして、例えば、図８に記載のものが知られている（特許文献１参照）。
【特許文献１】実開平５−８９０９２号公報(図１、図６)。
【０００３】
図８によれば、カップホルダ１０は、前面が開口部１１ａにより開口された状態で取付け部位であるインストルメントパネル（不図示）に取付けられたインナーケース１１と、インナーケース１１内から開口部１１ａを通して出入り可能に設けられたホルダ部１２と、ホルダ部１２内に収納されて容器１６を保持する容器保持部としてのホルダ孔１３ａ，１３ａが設けられたテーブル部１３と、テーブル部１３を上方位置に係止するバネ部材１４と、テーブル部の下面にてほぼ水平な不使用位置からほぼ垂直な使用位置まで揺動可能に取り付けられ且つ使用位置にてホルダ孔１３ａの直下に位置するカップ受体１５，１５とを有して構成している。
【０００４】
かかる構成において、容器１６を収容する場合には、テーブル部１３をバネ部材１４によってホルダ部１２に対して上昇させた状態で、ホルダ孔１３ａに容器１６をその底部から挿入して行う。この時、容器１６の底部は、ホルダ孔１３ａの直下に位置するカップ受体１５によって支持されている。
【発明の開示】
【発明が解決しようとする課題】
【０００５】
上記のように構成するカップホルダ１０において、保持すべき容器１６がペットボトルのようなキャップ付き容器の場合には、もしも、キャップをつけたまま収容したのでは、容器１６内の飲料水等を飲用しようとした場合、キャップを一々外した状態で、飲用に供せざるを得ないが、このように、飲用の度に容器１６からキャップを取外していたのでは、非常に面倒であり、運転操作にも影響を及ぼしたりするおそれもある。
【０００６】
そこで、キャップを外した状態で、容器１６をカップホルダ１０に保持することになるが、外したキャップをテーブル部１３上やシート等に置いたまま走行した場合、転がる等してキャップがどこかに紛失してしまうことがあった。
【０００７】
そこで、本発明は、キャップ付き容器を保持する場合に、当該キャップを容器から取外した状態で保管できるように構成した車両におけるペットボトル等容器のキャップ収容装置を提供することを目的とする。
【課題を解決するための手段】
【０００８】
上記目的を達成するために、本発明は、キャップ付きペットボトル等の容器を保持する容器保持部が設けられたホルダープレートに、ペットボトル等の容器から取外したキャップを収容するキャップ収容部を形成して構成したことを特徴とするものである。
【０００９】
かかる構成により、本発明は、容器より取外したキャップをキャップ収容部に収容しておけば、容器を、キャップを取外した状態でカップホルダに保持しておくことができ、しかも、キャップをキャップ収容部に収容しておくことによって、キャップが紛失することがなく、また、飲用の度に容器からキャップを取外す必要がないために、安全運転に寄与することになる。
【００１０】
また、本発明は、キャップ収容部が、ホルダープレートの表面側を凹設して形成した有底凹部の底部を底上げしてキャップの一部が突出した状態で収容されるように構成したことにより、底部を底上げして、キャップの一部をキャップ収容部から突出した状態で収容できることになって、キャップを再びキャップ収容部から取り出す場合に、キャップ収容部からはみ出した部分を持ってキャップを取り出すことができる。
【００１１】
また、本発明は、キャップ収容部が、キャップの天蓋部を上方または下方に向けた起立状態でキャップを収容するように形成されていることにより、キャップの筒部先端面或いは底面をキャップ収容部の底部に載置することができ、キャップを安定して収容することができる。
【００１２】
また、本発明は、キャップ収容部が、ホルダープレートの表面側を凹設して構成し、キャップの筒部側を上下方向に向けた横臥状態で収容したことにより、キャップ収容部の開口面積を小さくすることができ、同一領域内では、より多くのキャップ収容部を形成することができる。
【発明の効果】
【００１３】
本発明によれば、キャップ付きペットボトル等の容器を保持する容器保持部が設けられたホルダープレートに、容器から取外したキャップを収容するキャップ収容部を形成したので、キャップ収容部に容器から取外したキャップを収容することができ、キャップの紛失の心配なく、また、飲用の度に容器からキャップを取外す必要が無いため、安全運転にも寄与することができる。
【００１４】
ここにキャップを保持させれば乗員は安心して容器からキャップを外したままにしておけることになり、煩雑にキャップの開け閉めを繰り返さずにすみ、キャップが紛失する危惧も無くなり安心で、非常に便利である。
【発明を実施するための最良の形態】
【００１５】
以下、本発明にかかる第１の実施の形態について、図１及び図２を用いて説明する。
【００１６】
図１は、本発明にかかる実施の形態を採用した車両用カップホルダを取り付け部であるインストルメントパネルに対して引き出した状態を描画した斜視図、図２は図１におけるキャップ収容部を拡大して描画した縦断面図で、図２（１）はキャップを収容する寸前の状態、図２（２）はキャップを収容した状態を描画したものである。
【００１７】
図１及び図２において、カップホルダ１は、取り付け部であるインストルメントパネル２に出入り可能に取付けられたカップ保持部としてのホルダープレート３と、ホルダープレート３の出入り動に対応して下方に揺動可能にホルダープレート３に装着されたカップ受体５とを有して構成している。
【００１８】
ホルダープレート３には、車両の左右方向略中央部に並置するように、一対のホルダ孔４，４が貫通形成されているとともに、ホルダープレート３の上面３ａ（表面）には、ホルダ孔４，４を挟んだ車両前後方向に並置するように一対のキャップ収容部６，６が設けられている。
【００１９】
キャップ収容部６，６は、底部６ａを有する有底の凹部として形成されており、キャップ７が収容できるように、キャップ７の鍔部７ｃの直径より若干大きな円孔となっており、底部６ａがキャップ７を収容した状態では図２（２）に示すようにキャップ７が若干表出するように底上げ形成されている。なお、キャップ収容部６，６は、キャップ７の鍔部７ｃの直径より小さくしかも筒部７ａの直径より若干大きく形成することにより、鍔部７ｃをホルダープレート３の上面３ａに引っ掛けて保持するようにできることから、必ずしも有底の凹部に限定されるものでなく、貫通孔で構成してもよい。
【００２０】
カップ受体５は、ホルダープレート３の後端部両側にそれぞれ揺動可能に装着された脚部５ａ，５ａと、脚部５ａ，５ａの先端に橋渡し状態で装着された受台部５ｂとで構成しており、ホルダ孔４，４に容器８を挿入して保持する場合に、受台部５ｂが容器８の底部の直下に位置して、容器８の底部を支持するように構成されている。
【００２１】
上記の構成において、カップホルダ１に保持する容器８がペットボトルのようなキャップ７付き容器である場合には、キャップ７をつけたまま、ホルダープレート３のホルダ孔４に容器８の胴部８ａを挿入するとともに、底部８ｂをカップ受体５の受台部５ｂ上に載置することにより、容器８を保持することができる。
【００２２】
また、もしキャップ７を取外した状態で容器８を保持する場合には、図２（１）に示すように、キャップ７を取外して、キャップ７の天蓋部７ｂを下方または上方に向けた起立状態でキャップ収容部６内に収容すればよい（図２（２）の状態）。
【００２３】
この場合、キャップ７は、鍔部７ｃ側を上にして、天蓋部７ｂ側を下にしてキャップ収容部６内に収容すると、再び取り出す場合に、鍔部７ｃに指を掛けて取り出せばよいことから便利である。
【００２４】
しかも、キャップ収容部６が底上げ状態の底部６ａを有することから、図２（２）に示すように、キャップ７が若干キャップ収容部６からはみ出すことになって、キャップ７のキャップ収容部６からの取り出しをさらに容易にしている。
【００２５】
図３は、本発明にかかる第２の実施の形態を採用した車両用カップホルダのキャップ収容部６を描画した斜視図である。
【００２６】
図３に示すようにキャップ収容部６は、その側壁６ｂの周上５等分した位置に、キャップ７の筒部７ａを把持するために底部６ａ側に延在する縦型のキャップ把持突起部６ｃを複数条形成して、５つのキャップ把持突起部６ｃの頂部が、収容したキャップ７の筒部７ａを僅かに押圧するように突出量が設定してある  点、第１の実施の形態と構成上異にしている。
【００２７】
従って、キャップ７を押し込めば、５箇所のキャップ把持突起部６ｃがキャップ７の筒部７ａに弾性的に当接して摩擦力によってキャップ７を確実に把持する。
【００２８】
次に、図４及び図５を用いて、本発明にかかる第３の実施の形態につき説明する。
【００２９】
図４は本実施の形態を採用した車両用カップホルダのキャップ収容部６を描画した斜視図、図５は図４におけるキャップ収容部６が天蓋部７ｂを上方に向けた起立状態のキャップ７を収容する寸前の状態を拡大して描画した縦断面図である。
【００３０】
図４及び図５のキャップ収容部６は、概略は第１の実施の形態と同様に有底凹部状を呈しているも、その底部６ａにキャップ保持突起部６ｄを形成してある点、構成上異にしている。
【００３１】
従って、キャップ保持突起部６ｄとキャップ収容部の側壁６ｂとの間に隙間６ｅが形成される（残る）。
【００３２】
第３の実施の形態においては、キャップ７はその鍔部７ｃをキャップ収容部６の底部側にして天蓋部７ｂが上方に向いた起立状態で収容し、キャップ７の筒部７ａが隙間６ｅに挿入されて保持されるように構成している。
【００３３】
図６を用いて、本発明にかかる第４の実施の形態につき説明する。
【００３４】
図６は、第４の実施の形態を採用した車両用カップホルダをインストルメントパネルに対して引き出した状態を描画した斜視図である。
【００３５】
図６に示すように、キャップ収容部６が、容器のキャップ７の側面形状に適合させた少し緩めの溝形に凹設してあり、キャップ７をその筒部７ａ側を上下方向に向けた横臥状態で収容するように構成した点異にしている。
【００３６】
すなわち、キャップ収容部６はキャップ７の筒部７ａの曲率より僅かに大きい曲率でくぼませた円筒面状の底面６ｆと、キャップ７の厚みより僅かに大きい幅間隔で対向する垂直な壁面６ｇ，６ｇを持つ有底凹部として形成されていて、開口部は矩形状を呈している。
【００３７】
乗員は、容器から外したキャップ７を横臥状態で側面から、キャップ収容部６の開口部より挿入する。キャップ７は、筒部７ａの側面が、底部６ｆに支持されるとともに、両端面（一方は円形面、他方は環状面）が、キャップ収容部６の壁面６ｇ，６ｇにより規制されて収容・保持される。
【００３８】
そして、乗員がキャップ収容部６から再びキャップ７を取り出す場合には、キャップ７の筒部７ａを持って容易にキャップ７をキャップ収容部６から取り出すことができる。
【００３９】
なお、第４の実施の形態によるキャップ収容部６は、他の実施の形態のものより開口面積が小さいため、狭い箇所にも設けることができ、この結果、同一領域内により多く設けることができるということもいえる。
【００４０】
また、本発明は、別の実施の形態として、図７に示すように、ホルダプレートをコンソールボックス２０の蓋体２１にホルダ孔４，４を形成して構成する場合も含むものであり、この場合、キャップ収容部６もホルダープレートとしての蓋体２１に形成している。
【産業上の利用可能性】
【００４１】
本発明に係る車両におけるペットボトル等容器のキャップ収容装置は、キャップ付きペットボトル等の容器を保持する容器保持部が設けられたホルダープレートに、容器から取外したキャップを収容するキャップ収容部を形成したので、キャップ収容部に容器から取外したキャップを収容することができ、キャップの紛失の心配なく、また、飲用の度に容器からキャップを取外す必要が無いため、安全運転にも寄与することができることから、コンソールボックス、インストルメントパネル或いはドアトリム等の構成部品に設けられて、ペットボトル等の容器のキャップを収容するように構成された車両におけるペットボトル等容器のキャップ収容装置等に有用である。
【図面の簡単な説明】
【００４２】
【図１】本発明にかかる第１の実施の形態を採用した車両用カップホルダをインストルメントパネルから引き出した状態の斜視図である。
【図２】同実施の形態におけるキャップ収容部を拡大して描画した縦断面図（（１）、（２））である。
【図３】本発明にかかる第２の実施の形態におけるキャップ収容部の斜視図である。
【図４】本発明にかかる第３の実施の形態におけるキャップ収容部の斜視図である。
【図５】図４におけるキャップ収容部の縦断面図である。
【図６】本発明にかかる第４の実施の形態を採用した車両用カップホルダをインストルメントパネルから引き出した状態の斜視図である。
【図７】本発明にかかる更に別の実施の形態を採用した車両用コンソールボックスの概略斜視図である。
【図８】従来の自動車用カップホルダの斜視図である。
【符号の説明】
【００４３】
１    カップホルダ
２    インストルメントパネル
３    ホルダープレート
３ａ  上面
４    ホルダ孔
５    カップ受体
５ａ  脚部
５ｂ  受台部
６    キャップ収容部
６ａ  底部
６ｂ  側壁
６ｃ  キャップ保持突起部
６ｄ  キャップ保持突起部
７    キャップ
７ａ  筒部
７ｂ  蓋部
７ｃ  鍔部
８    容器
８ａ  胴部
８ｂ  底部
【図１】
2005029047.tif 000003
【図２】
2005029047.tif 000004
【図３】
2005029047.tif 000005
【図４】
2005029047.tif 000006
【図５】
2005029047.tif 000007
【図６】
2005029047.tif 000008
【図７】
2005029047.tif 000009
【図８】
2005029047.tif 000010